(57)【要約】【課題】  ランドセルに装着した状態から脱着し、使用する際に、組立作業等の煩雑さがない手提げバッグを提供する。【解決手段】  ランドセルに装着可能な手提げバッグであって、周縁部が互いに接合された一対の側面部と、前記一対の側面部の周縁に形成され、開閉可能に形成された開口部とを有する袋状のバッグ本体と、前記ランドセルの背合て部の上端部に設けられたフック部に着脱可能に係止して前記バッグ本体を前記ランドセルの蓋部材上に支持しうる固定部材と、前記バッグ本体に取り付けられた持ち手とを備えている。【選択図】  図１
0003218657.tif 000002
【実用新案登録請求の範囲】
【請求項１】
ランドセルに装着可能な手提げバッグであって、
周縁部が互いに接合された一対の側面部と、前記一対の側面部の周縁に形成され、開閉可能に形成された開口部とを有する袋状のバッグ本体と、前記ランドセルの背合て部の上端部に設けられたフック部に着脱可能に係止して前記バッグ本体を前記ランドセルの蓋部材上に支持しうる固定部材と、前記バッグ本体に取り付けられた持ち手とを備えていることを特徴とする手提げバッグ。
【請求項２】
前記固定部材は、前記バッグ本体の前記側面部の端部に一端部が固定された紐状部材からなり、前記固定部材には、着脱可能に形成された係止部が設けられると共に、前記側面部には前記係止部が係合しうる係合部が設けられていることを特徴とする請求項１記載の手提げバッグ。
【請求項３】
前記側面部は長方形状に形成され、前記開口部及び前記持ち手は長辺部に設けられ、前記固定部材は短辺部において一方の前記側面部に設けられると共に前記係合部は他方の前記側面部に設けられていることを特徴とする請求項２記載の手提げバッグ。
【請求項４】
前記一方の側面部の長さ方向端部には幅方向に沿って、前記ランドセルの前記蓋部材に挿通して前記バッグ本体を前記ランドセルに固定しうるベルト部が設けられていることを特徴とする請求項３記載の手提げバッグ。
【請求項５】
前記係止部及び前記係合部は複数個設けられていることを特徴とする請求項４記載の手提げバッグ。
【請求項６】
前記バッグ本体は前記ランドセルに装着された場合に、前記蓋部材を覆いうる大きさに形成されていることを特徴とする請求項１乃至５のいずれか１項に記載の手提げバッグ。
【考案の詳細な説明】
【技術分野】
【０００１】
本考案は、バッグに係り、特に、ランドセルに装着可能な手提げバッグに関するものである。
【背景技術】
【０００２】
従来より、習い事や行事、部活動等があるため、子供は、背負うランドセル内だけでは必要な物品を収納しきれないケースが多々あることから、ランドセルを背負うと共に、手提げバッグも持つ場合が多い。
【０００３】
但し、手提げバッグも持つ場合は、子供の片手が塞がってしまい、特に雨の日は傘をさすので持つために両手まで塞がってしまい、転んだ際に手を上手く地面につけず、怪我をしてしまったり、置き忘れてしまったり、危険にあった際の緊急時等に防犯ブザーをすぐに鳴らせなかったりするおそれがある。
【０００４】
このような事情から、例えば、特許文献１に開示されているように、ランドセルに装着可能な手提げバッグも開発されている。
【０００５】
しかしながら、特許文献１に開示された手提げバッグは、ランドセルに装着した状態から脱着し、手提げバッグとして使用するためには、折り畳んだり、持ち手を取り付けたりするなどの組立作業が必要で煩雑であるという問題点がある。
【先行技術文献】
【特許文献】
【０００６】
【特許文献１】実用新案登録第３１８７１５５号公報
【考案の概要】
【考案が解決しようとする課題】
【０００７】
本考案は、以上のような従来の問題点を解消するためのものであって、その課題は、ランドセルに装着した状態から脱着し、使用する際に、組立作業等の煩雑さがない手提げバッグを提供することにある。
【課題を解決するための手段】
【０００８】
前記課題を解決するために、請求項１記載の考案にあっては、ランドセルに装着可能な手提げバッグであって、周縁部が互いに接合された一対の側面部と、前記一対の側面部の周縁に形成され、開閉可能に形成された開口部とを有する袋状のバッグ本体と、前記ランドセルの背合て部の上端部に設けられたフック部に着脱可能に係止して前記バッグ本体を前記ランドセルの蓋部材上に支持しうる固定部材と、前記バッグ本体に取り付けられた持ち手とを備えていることを特徴とする。
【０００９】
従って、請求項１記載の考案にあっては、ランドセルへの装着時には、前記ランドセルの前記背合て部の上端部に設けられた前記フック部に前記固定部材により着脱可能に係止され、前記バッグ本体が前記ランドセルの前記蓋部材上に支持された状態となり、脱着してバッグとして使用する際は、前記固定部材の前記フック部への係止を解除すればよい。
【００１０】
請求項２記載の考案にあっては、前記固定部材は、前記バッグ本体の前記側面部の端部に一端部が固定された紐状部材からなり、前記固定部材には、着脱可能に形成された係止部が設けられると共に、前記側面部には前記係止部が係合しうる係合部が設けられていることを特徴とする。
【００１１】
従って、請求項２記載の考案にあっては、前記ランドセルの前記フック部の孔に紐状部材である前記固定部材を先端部を通してから前記係合部に前記係止部を係合すれば、前記バッグ本体は、容易且つしっかりと前記ランドセルに装着され、前記係合部から前記係止部の係合を解除し、前記ランドセルの前記フック部の孔から紐状部材である前記固定部材を抜き取れば、前記バッグ本体は、容易に前記ランドセルから脱着することができる。
【００１２】
請求項３記載の考案にあっては、前記側面部は長方形状に形成され、前記開口部及び前記持ち手は長辺部に設けられ、前記固定部材は短辺部において一方の前記側面部に設けられると共に前記係合部は他方の前記側面部に設けられていることを特徴とする。
【００１３】
従って、請求項３記載の考案にあっては、前記固定部材が前記ランドセルの前記フック部に係止され、装着された状態でも、前記開口部及び前記持ち手部は、前記固定部材とは直交する位置、即ち、ランドセルの側方に配置される。
【００１４】
請求項４記載の考案にあっては、前記一方の側面部の長さ方向端部には幅方向に沿って、前記ランドセルの前記蓋部材に挿通して前記バッグ本体を前記ランドセルに固定しうるベルト部が設けられていることを特徴とする。
【００１５】
従って、請求項４記載の考案にあっては、前記バッグ本体が前記固定部材だけでなく、前記ベルト部によってランドセルの蓋部材に固定される。
【００１６】
請求項５記載の考案にあっては、前記係止部及び前記係合部は複数個設けられていることを特徴とする。
【００１７】
従って、請求項５記載の考案にあっては、ランドセルの前記フック部によりしっかりと係止することができる。
【００１８】
請求項６記載の考案にあっては、前記バッグ本体は前記ランドセルに装着された場合に、前記蓋部材を覆いうる大きさに形成されていることを特徴とする。
【００１９】
従って、請求項６記載の考案にあっては、ランドセルへの装着時に、前記バッグ本体がランドセルの前記蓋部材を覆うこととなる。
【考案の効果】
【００２０】
請求項１記載の手提げバッグにあっては、ランドセルへの装着時には、前記ランドセルの前記背合て部の上端部に設けられた前記フック部に前記固定部材により着脱可能に係止され、前記バッグ本体が前記ランドセルの前記蓋部材上に支持された状態となり、脱着して使用する際は、前記固定部材の前記フック部への係止を解除すればよいので、ランドセルに装着した状態から脱着し、使用する際に、組立作業等の煩雑さがない手提げバッグを提供することができる。
【００２１】
その結果、従来の、（１）通学時等に手が塞がってしまい、特に雨の日は傘をさすので持つために両手まで塞がってしまい、そのため、転んだ際に手を上手く地面につけず、怪我をしてしまったり、置き忘れてしまったり、危険にあった際の緊急時等に防犯ブザーをすぐに鳴らせないという問題点、（２）荷物が多く、背負うランドセル内だけでは必要な物品を収納しきれないという問題点、（３）ランドセル以外のバッグ等は、おおよそのサイズや形状が学校から指定されてしまうという問題点を全て解消することができる。
【００２２】
請求項２記載の手提げバッグにあっては、前記ランドセルの前記フック部の孔に紐状部材である前記固定部材を先端部を通してから前記係合部に前記係止部を係合すれば、前記バッグ本体は、容易且つしっかりと前記ランドセルに装着され、前記係合部から前記係止部の係合を解除し、前記ランドセルの前記フック部の孔から紐状部材である前記固定部材を抜き取れば、前記バッグ本体は、容易に前記ランドセルから脱着することができるので、ランドセルへの装着時には、前記バッグ本体がランドセルにしっかりと固定され、ランドセルからの脱着も容易である。
【００２３】
請求項３記載の手提げバッグにあっては、前記固定部材が前記ランドセルの前記フック部に係止され、装着された状態でも、前記開口部は、前記固定部材とは直交する位置となるので、ランドセルへの装着時にも、前記バッグ本体内への物品の出し入れが容易である。
【００２４】
請求項４記載の手提げバッグにあっては、前記バッグ本体が前記固定部材だけでなく、前記ベルト部によっても固定されるので、ランドセルへの装着時に前記バッグ本体をよりしっかりと固定することができ、前記バッグ本体の横揺れや縦揺れを抑止することができる。
【００２５】
請求項５記載の手提げバッグにあっては、ランドセルの前記フック部によりしっかりと係止することができるので、ランドセルへの装着時に、前記バッグ本体内に多くの物品を入れたり、物品を入れたまま走って大きな慣性力が働いたりしても、固定部材による固定が十分耐えうる。
【００２６】
請求項６記載の手提げバッグにあっては、ランドセルへの装着時に、前記バッグ本体がランドセルの前記蓋部材の表側を覆うこととなるので、前記バッグ本体を目立つ色とすれば、通学中等に自動車や自転車等の運転手が広い面積の目立つ色に装着者が覆われるため、視認しやすく安全性を高めることができる。
【図面の簡単な説明】
【００２７】
【図１】図１は、本考案に係る手提げバッグの一実施形態において、ランドセルに装着した状態で人がそのランドセルを背負った状態を示す斜視図である。
【図２】図２は、本考案に係る手提げバッグの一実施形態において、ランドセルのフック部に固定部材を固定した状態を拡大して示す部分拡大図である。
【図３】本考案に係る手提げバッグの一実施形態において、ランドセルに装着した状態を、ランドセルの蓋部材の裏面側から拡大して示す部分拡大図である。
【図４】図４は、本考案に係る手提げバッグの一実施形態を、ランドセルへの装着時に表となる一方の側面部側から示す説明図である。
【図５】図５は、本考案に係る手提げバッグの一実施形態を、ランドセルへの装着時に裏となる他方の側面部側から示す説明図である。
【図６】図６は、本考案に係る手提げバッグの一実施形態における使用状態の形態を示す説明図である。
【考案を実施するための形態】
【００２８】
以下、本考案に係る手提げバッグを、一実施形態に基づき、図面を参照して説明する。
【００２９】
先ず、一実施形態の構成について説明する。
図１〜図６は、本考案に係る一実施形態の手提げバッグ１０を説明するための図である。
【００３０】
この一実施形態の手提げバッグ１０は、図１〜図３に示すように、ランドセル１１に装着可能な手提げバッグである。
【００３１】
そして、この手提げバッグ１０は、図４及び図５に示すように、周縁部が互いに縫合された一対の側面部１２，１３と、一対の側面部１２，１３の周縁に形成され、スライドファスナー２６により開閉可能に形成された開口部１４とを有する袋状のバッグ本体１５と、図１〜図３に示すように、ランドセル１１の背合て部１６の上端部に設けられた一般にＤカンと呼ばれる略Ｄ字形状のフック部１７に着脱可能に係止してバッグ本体１５をランドセル１１の蓋部材１８の上に支持しうる固定部材１９と、バッグ本体１５に取り付けられた持ち手２０，２０とを備えている。
【００３２】
ここで、側面部１２，１３は、図示は省略したが、格子状に補強縫いが施された布材により形成されている。
【００３３】
また、固定部材１９は、図４及び図５に示すように、バッグ本体１５の側面部１３の端部に一端部が縫合されて固定されたランドセル１１のフック部１７の孔に通しうる太さの紐状部材からなる。
【００３４】
そして、固定部材１９には、着脱可能に形成された係止部としての雄ホック２１，２２が設けられると共に、固定部材１９の側面部１２の周縁部近傍には係止部としての雄ホック２２が係合しうる係合部としての雌ホック２３が設けられ、側面部１２には係止部としての雄ホック２１が係合しうる係合部としての雌ホック２４が設けられている。
【００３５】
なお、側面部１２には、ランドセル１１から脱着してバッグとして使用する際に、係止部としての雄ホック２１が係合しうる係合部としての雌ホック２５も設けられており、図６に示すように、係合部としての雌ホック２５に係止部としての雄ホック２１が係合して固定部材１９が適切に収まるようになっている。
【００３６】
すなわち、係止部としての雄ホック２１，２２及び係合部としての雌ホック２３，２４，２５は複数個設けられている。
【００３７】
また、図４〜図６に示すように、側面部１２，１３は長方形状に形成され、開口部１４及び持ち手２０は長辺部に設けられ、固定部材１９は短辺部において裏となる一方の側面部１３に設けられると共に係合部２４，２５は表となる他方の側面部１２に設けられている。
【００３８】
また、図３及び図５に示すように、裏となる一方の側面部１３の長さ方向端部には幅方向に沿って、ランドセル１１の蓋部材１８に挿通してバッグ本体１５をランドセル１１に固定しうるゴム紐が内蔵されたベルト部２７が両端が側面部１３に縫合されて設けられている。
【００３９】
さらに、図１及び図３に示すように、バッグ本体１５はランドセル１１に装着された場合に、蓋部材１８の表側を覆いうる蓋部材１８よりも若干大きい大きさに形成されている。
【００４０】
なお、この手提げバッグ１０は、紫色その他の色の目立ちやすい材料が用いられており、視認しやすくなっている。
【００４１】
また、この手提げバッグ１０を、脱着して使用するシチュエーションとしては、一例として、通学中は、行きも帰りもランドセル１１に装着し、校内ではバッグ本体１５をランドセル１１から取り外して、机の横などにかけて使用する等があげられる。
【００４２】
次に、一実施形態の作用効果について説明する。
【００４３】
この本考案の一実施形態の手提げバッグ１０は、図１〜図６に示すように、上記した構成なので、ランドセル１１への装着時には、ランドセル１１の背合て部１６の上端部に設けられたフック部１７に固定部材１９により着脱可能に係止され、バッグ本体１５がランドセル１１の蓋部材１８上に支持された状態となり、脱着して使用する際は、固定部材１９のフック部１７への係止を解除すればよいので、ランドセル１１に装着した状態から脱着し、使用する際に、組立作業等の煩雑さがなく、そのまま手軽に使用することができる手提げバッグを提供することができる。
【００４４】
また、ランドセル１１のフック部１７の孔に紐状部材である固定部材１９を先端部を通してから係合部としての雌ホック２３，２４に係止部としての雄ホック２１，２２を係合すれば、バッグ本体１５は、容易且つしっかりとランドセル１１に装着され、係合部としての雌ホック２３，２４から係止部としての雄ホック２１，２２の係合を解除し、ランドセル１１のフック部１７の孔から紐状部材である固定部材１９を抜き取れば、バッグ本体１５は、容易にランドセル１１から脱着することができるので、ランドセル１１への装着時には、バッグ本体１５がランドセル１１にしっかりと固定され、ランドセル１１からの脱着も容易である。
【００４５】
さらに、係止部としての雄ホック２１，２２及び係合部としての雌ホック２３，２４は複数個であることから、ランドセル１１のフック部１７によりしっかりと固定することができるので、ランドセル１１への装着時に、バッグ本体１５内に多くの物品を入れたり、物品を入れたまま走って大きな慣性力が働いたりしても、固定部材１９により、充分確実にランドセル１１に固定することができる。
【００４６】
そのうえ、バッグ本体１５が固定部材１９だけでなく、ベルト部２７によってランドセル１１の蓋部材１８へも固定されるので、ランドセル１１への装着時にバッグ本体１５をよりしっかりと固定することができ、バッグ本体１５の横揺れや縦揺れを抑止することができる。
【００４７】
また、係止部としての雄ホック２１が係合しうる係合部としての雌ホック２５も設けられているので、ランドセル１１から脱着して使用する際も、固定部材１９が綺麗に収まり、外観品質の良いものとすることができる。
【００４８】
また、固定部材１９がランドセル１１のフック部１７に係止され、装着された状態でも、開口部１４は、固定部材１９とは直交する位置となるので、ランドセル１１への装着時にも、バッグ本体１５内への物品の出し入れが容易である。
【００４９】
さらに、ランドセル１１への装着時に、バッグ本体１５がランドセル１１の蓋部材１８の表面を覆うこととなるので、バッグ本体１５が広い面積で目立つ色でランドセル１１の装着者が覆われることとなる。
【００５０】
そのため、この手提げバッグ１０は、紫色その他の色の目立ちやすい材料が用いられており、広い面積の目立つ色があるので、視認しやすくなっていることから、通学中等に自動車や自転車等が多く行き交う危険な場所等を歩いている際も、自動車や自転車等の運転者は、より視認しやすく、交通事故等にあう危険性を低減することができる。
【００５１】
以上、本考案に係る手提げバッグの一実施形態について図面を参照して詳述してきたが、具体的な構成は、この一実施形態に限らず、本考案の要旨を逸脱しない程度の設計的変更は、本考案に含まれる。
【００５２】
例えば、上記した一実施形態では、手提げバッグ１０の開口部１４を開閉可能とするために、スライドファスナー２６を用いたが、これに限定されず、開口部１４に着脱可能なホック式や面ファスナー式、或いはマグネット式のフラップを設けるなどして実施してもよい。
【産業上の利用可能性】
【００５３】
本考案に係る手提げバッグは、多くの人々が購入し、使用することができるので、産業上の利用可能性を有している。
【符号の説明】
【００５４】
１０    手提げバッグ
１１    ランドセル
１２    側面部
１３    側面部
１４    開口部
１５    バッグ本体
１６    背合て部
１７    フック部
１８    蓋部材
１９    固定部材
２０    持ち手
２１    雄ホック（係止部）
２２    雄ホック（係止部）
２３    雌ホック（係合部）
２４    雌ホック（係合部）
２５    雌ホック（係合部）
２６    スライドファスナー
２７    ベルト部
【図１】
0003218657.tif 000003
【図２】
0003218657.tif 000004
【図３】
0003218657.tif 000005
【図４】
0003218657.tif 000006
【図５】
0003218657.tif 000007
【図６】
0003218657.tif 000008